(57)【要約】【課題】  光源部が可動する照明器具において、部品点数を抑え、光源部を円滑に可動する照明器具を提供する。【解決手段】  照明器具１は光源部３０を内部に組み付けられた略円筒形状の回転枠２０と、回転枠２０を回動可能に支持する軌道部１８が備えられた略筒形状をした本体部１０と、回転枠２０を本体部１０に固定させるばね部４０とを備えおり、照明器具１はばね部４０により被取付部１０００に固定されることにより、部品点数を抑え、光源部を円滑に可動する照明器具を提供することができる。【選択図】  図３
2015135743.tif 000002
【特許請求の範囲】
【請求項１】
光源部を内部に組み付けられた略円筒形状の回転枠と、
前記回転枠を支持する軌道部が備えられた略筒形状をした本体部と、
前記回転枠が前記軌道部に支持された状態で、前記回転枠を回動可能に前記本体部に固定させるばね部と、
を備えていることを特徴とする照明器具。
【請求項２】
前記ばね部は前記回転枠を前記軌道部に押圧するとともに、前記本体部に固定することを特徴とする請求項１に記載の照明器具。
【請求項３】
前記本体部の側面に前記回転枠を支持する回転枠支持部が形成され、前記軌道部は前記回転枠支持部により構成されていることを特徴とする請求項１または請求項２に記載の照明器具。
【請求項４】
前記本体部の側面に前記ばね部を固定するばね受部が形成され、前記軌道部は前記ばね受部により構成されていることを特徴とする請求項１から請求項３のいずれかに記載の照明器具。
【請求項５】
前記ばね受部は前記回転枠を支持することを特徴とする請求項４記載の照明器具。
【請求項６】
前記軌道部は前記本体部の外側面部に形成されていることを特徴とする請求項１から請求項５のいずれかに記載の照明器具。
【請求項７】
前記軌道部は前記本体部の内側面部に形成されていることを特徴とする請求項１から請求項５のいずれかに記載の照明器具。
【請求項８】
前記ばね部は前記回転枠に当接して固定するばね突部を有していることを特徴とする請求項１から請求項７のいずれかに記載の照明器具。
【請求項９】
前記軌道部は前記回転枠と当接する面に回転凸部を有していることを特徴とする請求項１から請求項７のいずれかに記載の照明器具。
【請求項１０】
前記ばね部は被取付部に固定される第二のばね部を有することを特徴とした請求項１から請求項９のいずれかに記載の照明器具。
【請求項１１】
請求項１から請求項１０のいずれかに記載の照明器具であって、被取付部に設けられた取付孔に挿入されることを特徴とする埋込型照明器具。
【発明の詳細な説明】
【技術分野】
【０００１】
本発明は、光源部を可動させる可動機構を用いた照明器具に関するものである。
【背景技術】
【０００２】
従来より、天井などの被取付部に設けられた取付孔に埋め込むように設置される照明器具が知られている。
これらの照明器具のうち、照明器具に設けられた光源が、被取付部に固定されている照明器具本体に対して可動するものがある。
【０００３】
例えば、被取付部に固定される略筒形状をした本体部と、この本体部の筒内側に設置される光源部を有している照明器具がある。
この照明器具は、本体部を被取付部に固定した後に、照明器具の照射側から光源部を本体部の内側に挿し込んで取り付けるものであり、光源部は側面に突起部が形成され、本体部には筒内側側面にレール部が形成されており、突起部がレール部に係り合うことで、光源部は本体部に回転可能に保持されている（例えば、特許文献１）。
【０００４】
また、同じように被取付部に固定される略筒形状をした本体部と、本体部の筒内側に設置される光源部を有している照明器具であって、光源部は回転枠に取り付けられており、回転枠は本体部の被取付部と反対側の筒端部に当接し、光源部を回転可能に保持している（例えば特許文献２）。
【先行技術文献】
【特許文献】
【０００５】
【特許文献１】特開２００５−２６８００１号公報
【特許文献２】特開２０１３−２４７０８６号公報
【発明の概要】
【発明が解決しようとする課題】
【０００６】
しかしながら、特許文献１の照明器具は、突起部が光源部の回転機能と保持機能の役割を担っており、突起部の劣化により回転機能、保持機能ともに支障がきたす場合がある。
【０００７】
また、特許文献２の照明器具は、被取付部に固定する前に、あらかじめ本体部に光源部を組み付けておく必要があり、本体部と光源部を組み付ける為の部品が必要である。
【０００８】
そこで本発明では、上記のような課題を解決する為になされたもので、光源部が可動する照明器具において、部品点数を抑えながら、光源部を円滑に可動するとともに保持する照明器具を提供することを目的とする。
【課題を解決するための手段】
【０００９】
本発明における照明器具は、光源部を内部に組み付けられた略円筒形状の回転枠と、
前記回転枠を支持する軌道部が備えられた略筒形状をした本体部と、前記回転枠が前記軌道部に支持された状態で、前記回転枠を回動可能に前記本体部に固定させるばね部と、を備えていることを特徴とするものである。
【発明の効果】
【００１０】
本発明の光源部が可動する照明器具において、部品点数を抑え、光源部を円滑に可動、保持する照明器具を提供することができる。
【図面の簡単な説明】
【００１１】
【図１】実施の形態１における照明器具の傾斜図である。
【図２】実施の形態１における照明器具の分解傾斜図である。
【図３】実施の形態１における被取付部に取り付けられた照明器具の断面図である。
【図４】実施の形態１における本体部の傾斜図である。
【図５】実施の形態１における本体部の平面図である。
【図６】実施の形態１における本体部のＡ−Ａ′断面図である。
【図７】実施の形態１における回転枠の傾斜図である。
【図８】実施の形態１における光源部の傾斜図である。
【図９】実施の形態１におけるばね部の傾斜図である。
【図１０】実施の形態１におけるばね部の二面展開図である。
【図１１】実施の形態２における本体部の傾斜図である。
【図１２】実施の形態２における本体部の平面図である。
【図１３】実施の形態２における本体部のＢ−Ｂ′断面図である。
【図１４】実施の形態３における本体部の傾斜図である。
【図１５】実施の形態３における本体部の平面図である。
【図１６】実施の形態３における本体部のＣ−Ｃ′断面図である。
【発明を実施するための形態】
【００１２】
実施の形態１.
本実施の形態における照明器具の各部の構成について説明を行なう。
本実施の形態では、本発明に係わる照明器具の一例として天井などの被取付部に設けられた取付孔に挿入して取り付けられる、電源部が別置きのユニバーサルダウンライトについて説明する。
以下の説明において、便宜上、照明器具が取付孔に挿入される方向を上面側とし、照明器具が照射する方向を下面側として説明を行なう。
【００１３】
図１は本実施の形態１における照明器具の傾斜図である。図２は図１に示す照明器具の分解傾斜図である。図３は図１に示す照明器具１の被取付部に取り付けられた状態の断面図である。図４は図１に示す照明器具の本体部の傾斜図である。図５（ａ）は図４に示す本体部の平面図であり、図５（ｂ）は図５（ａ）の本体部に軌道部を示した本体部の平面図である。図６は図５（ａ）に示すＡ−Ａ′における本体部断面図である。図７は図１に示す照明器具の回転部の傾斜図である。図８は図１に示す照明器具の光源部の傾斜図である。図９は図１に示す照明器具のばね部の傾斜図である。図１０は図９に示すばね部の二面展開図である。
【００１４】
照明器具１は、被取付部１０００（取付孔）に当接し設置される本体部１０と、本体部１０に回転可能に取り付けられる回転枠２０と、回転枠２０に取り付けられる光源部３０と、照明器具１を被取付部１０００に固定するとともに、本体部１０に回転部２０を固定するばね部４０から構成されている。
【００１５】
本体部１０は、上面側および下面側が開口した略円筒形状をしており、上面側には略円筒形状内部に光源部３０の一部を挿入する（詳細は後述する）為の開口を有した挿入部１１と、下面側には挿入部１１と対向するように配設され、光源部３０からの光を照射するための開口を有した照射部１２と、略円筒形状の筒部であり挿入部１１より照射部１２へ光源部３０の側面を囲むように形成された側面部１３とから構成されている。
【００１６】
挿入部１１は、光源部３０が挿入される挿入開口部１１ａを有した略円形状をしており、挿入開口部１１ａの縁部には上面方向に突起した本体凸部１４が形成されている。
【００１７】
照射部１２は、光源部３０からの光を照射する照射開口部１２ａを中心に有した略円形状をしており、照射開口部１２ａの外周には鍔形状に形成された本体フランジ部１５が形成されている。
【００１８】
挿入開口部１１ａと、照射開口部１２ａは中心が略同軸上になるように形成されているが、照射部１２の照射開口部１２ａが挿入部１１の挿入開口部１１ａよりも大きく形成されている。
【００１９】
側面部１３は、挿入開口部１１ａの周部から、照射開口部１２ａの周部へ傾斜するように形成されている。
また、側面部１３は回転枠２０を保持する回転支持部１６と、ばね部４０が嵌め込まれるばね受部１７が形成されている。
【００２０】
回転支持部１６は、回転枠２０に当接し支持するものであり、側面部１３の外側面部より上面側へ突出するように形成されている。
また、回転枠支持部１６は、回転枠２０の回転の略中心となる回転中心部Ａ（図５参照）に対して、半径（もしくは直径）方向に形成された回転枠支持片１６ａと、回転枠支持片１６ａに対して略垂直に形成された回転枠受片１６ｂから構成されている。なお、回転枠支持片１６ａには上面側に突出した回転凸部１９が形成されている。
【００２１】
回転枠支持片１６ａの突出高さは挿入部１１よりも低く形成され、回転枠受片１６ｂの突出高さは挿入部１１の高さと略同等の高さに形成されている。
また、挿入部１１と、回転枠支持片１６ａと、回転枠受片１６ｂの高低差により溝部が形成され、回転枠２０が配置される。
【００２２】
ばね受部１７は、Ｌ形状をしたＬ爪部１７ａが側面部１３の外側面部より上面側に向かって突出され、対になるように配設されている。
また、対になるＬ爪部１７ａの間には、側面部１３から水平方向へコの字形状のばね引掛部１７ｂが突出し形成されている。
なお、ばね引掛部１７ｂの上面側は、上面側に突出した回転凸部１９が形成されている。
【００２３】
回転枠支持部１６と、ばね受部１７は回転中心部Ａを中心として、放射状に略均等になるように配置されている。
本実施の形態では、ばね受部１７が回転中心部Ａより三等分になるように、三箇所に配置されている。
また、各ばね受部１７の間には回転枠支持部１６が三箇所に略等間隔になるように配置されている。
なお、本実施の形態は一例であり、照明器具の大きさや、重量に応じてばね受部１７及び回転枠支持部１６の個数を変えてもよく、配置間隔を変えてもよい。
【００２４】
回転枠支持部１６は、回転中心部Ａを中心に均等に放射状に配設されており、複数の回転枠支持片１６ａにより、回転枠２０が回転する為の軌道部１８を構成している。
【００２５】
また、回転枠支持片１６ａとばね引掛部１７ｂは略同等の高さであり、ばね引掛部１７ｂも軌道部１８の一部を構成している。
なお、本実施の形態では回転枠支持部１６と、ばね引掛部１７ｂにより軌道部１８を構成しているが、どちらか一方により軌道部１８を構成してもよい。
【００２６】
回転枠２０は、上面側および下面側が開口した略円筒形状に形成されており、光源部３０を略円筒形状内部に保持するとともに、本体部１０に回転可能に組付けられるものである。
また回転枠２０は、下面側の開口に回転枠支持部１６と当接する回転枠フランジ部２１と、上面側の開口には光源部の傾動を制御する傾動制御部２２を形成しており、略円筒形状の筒部であり光源部３０を囲むように形成された回転枠側面部２３には光源部３０を保持する為の連結孔２４が形成されている。
【００２７】
回転枠フランジ部２１は、回転枠２０の下面側開口の周部から外方向へ鍔状に形成されており、本体部１０の回転枠支持部１６と当接するものである。
【００２８】
傾動制御部２２は、回転枠２０の上面側開口の周部から内側方向へ形成されたものであり、光源部３０が連結孔２４を中心に左右に傾動したときに、光源部３０と当接し傾動範囲を制御するものである。
【００２９】
連結孔２４は、光源部３０と連結する為の孔であり、回転枠側面部２３の向かい合う位置に対になるよう配設されている。
【００３０】
光源部３０は、電源部（図示なし）から電力供給され発光する略円形状をした光源ユニット３１と、光源ユニット３１の発光により発生する熱を放熱する放熱部３２から構成されている。
【００３１】
光源ユニット３１は、複数のＬＥＤと、複数のＬＥＤが実装される基板部とからなるＬＥＤ基板部３３と、ＬＥＤ基板部３３が放射する光を制御する配光制御部３４を有している。
なお、ＬＥＤ基板部３３はＣＯＢ（チップオンボード）などのＬＥＤモジュールでもよい。また、配光制御部３４はレンズ、反射部材、拡散部材などであり、それらが組み合わさったものでも良い。
【００３２】
放熱部３２は、光源ユニット３１が点灯時に発生する熱を放熱するためにアルミダイカストなどの放熱性能が高い材料から形成されており、光源ユニット３１が取り付けられる光源取付部３５と、光源取付部３５から突出して形成される放熱フィン３６と、回転枠２０と連結する為の連結部３７から構成されている。
【００３３】
光源取付部３５は、光源ユニット３１がネジなどにより固定される光源取付面３５ａと、光源取付面３５ａの周部から垂直方向へ突出し光源制御部３４の側面を覆う光源取付側面３５ｂから形成されている。
【００３４】
放熱フィン３６は、側面が略三角形状をしており、光源取付面３５ａの光源ユニット３１が取り付けられる面と反対面から垂直に複数形成されている。なお、放熱フィン３６は略等間隔になるように配設されている。
【００３５】
連結部３７は、回転枠２０の連結孔２４に対応するように、光源取付側面３５ｂに対になるよう配設されており、放熱フィン３６の略三角形状の放熱フィン側面３６ａに対して垂直方向へ突出し形成されている。
【００３６】
ばね部４０は、本体部１０に嵌め込まれ固定されるばね固定部４１と、回転枠２０を本体部１０に回転可動に固定する第一のばね部４２と、照明器具１を被取付部１０００に固定する第二のばね部４３から構成されている。
【００３７】
ばね固定部４１は、Ｌ爪部１６ａに差し込まれる差込部４１ａと、対になる差込部４１ａの間に切り込みにより形成された切込爪部４１ｂと、第二のばね部４３の可動軸となる軸部４１ｃを有している。また、切込爪部４１ｂは、本体部１０のばね引掛部１７ｂに差し込まれる。
【００３８】
第一のばね部４２は、ばね固定部４１の差込部４１ａの端部から、垂直にＬ形状をしたＬばね部４２ａが対になるように形成されている。また、Ｌばね部４２ａの先端には回転枠２０を保持する略Ｖ形状をしたばね突起部４２ｂが形成されている。
【００３９】
第二のばね部４３は、軸部４１ｃより第一のばね部４２とは反対方向へ形成されており、第一の円弧部４３ａと、第二の円弧部４３ｂと、被取付部１０００に当接する支点部４３ｃから構成されている。
照明器具１は、被取付部１０００を本体フランジ部１５と第二のばね部４３が押圧し挟み込むことにより、被取付部１０００に固定される。
【００４０】
次に、各構成の組み立てについて説明を行なう。
はじめに、光源部３０を回転枠２０に組み付けを行なう。
光源部３０を回転枠２０の筒内部に、光源ユニット３１が回転枠フランジ部２１と同方向になるように挿入する。
次に光源部３０の連結部３７を、回転枠２０の連結孔２４に当接させ、連結孔２４側からボルトなどの連結部材５０を連結部３７に嵌め込み、光源部３０は回転枠２０に組み付けする。
なお、光源部３０は、光源取付側面３５ｂが回転枠フランジ部２１側より、放熱フィン３６が傾動制御部２２より突き出すように回転枠２０に組み付けられる。
【００４１】
次に、光源部３０が連結された回転枠２０を本体部１０へ組み付けをおこなう。
光源部３０が組み付けられた回転枠２０を、本体部１０の挿入部１１に回転枠フランジ部２１方向から挿し込みをする。
このとき、回転枠２０より突き出した光源部３０の光源取付側面３５ｂは、本体部１０の挿入部１１より本体部１０内部に挿入される。また、回転枠２０は、回転枠フランジ部２１が回転枠支持部１６に当接する。
【００４２】
次に、回転枠２０を本体部１０へ固定する為に、ばね部４０の組み付けをおこなう。
ばね部４０を、本体部１０のばね受部１７のＬ爪部１７ａに、上面側からばね固定部４１を差し込みする。
このとき、ばね固定部４１の切込爪部４１ｂはばね引掛部１７ｂのコの字内側に嵌まり込み、第一のばね部４２のばね突起部４２ｂは回転枠２０の回転枠フランジ部２１に当接する。
また、回転枠２０は回転枠フランジ部２１がばね引掛部１７に第一のばね部４２により押圧され本体部１０に固定される。
【００４３】
次に、光源部１０の動作機構に関して説明を行なう。
光源部１０は、連結部３７を中心として可動する傾動動作と、回転枠２０が本体枠１０の軌道部１８を回転する回動動作をする。
【００４４】
光源部１０は、連結部材５０により回転枠２０の連結孔２４と連結した連結部３７を傾動の中心として傾動動作をおこなう。
このとき、光源部１０の放熱部３２が回転枠２０の傾動制御２３と当接し、光源部１０の傾動範囲は制御される。
【００４５】
また、光源部１０は、光源部１０が組み付けられた回転枠２０の回転枠フランジ部２１が本体部１０の軌道部１８上を回転することにより、光源１０は回動する。
なお、回転枠フランジ部２１は軌道部１８上に配置されている回転凸部１９に当接し回転することで、回動時に本体部１０と回転枠２０に生じる抵抗を軽減し動作を円滑にしている。
【００４６】
また、ばね部４０は、回転枠１０にばね突起部４２ｂが当接し本体部１０に固定することで、回動時の回転枠２０とばね部４０に生じる抵抗を軽減し動作を円滑化している。
【００４７】
本実施の形態は、照明器具１が軌道部１８を備えた本体部１０と、光源部３０が組み付けられるとともに回転枠フランジ部２１を備えた回転枠２０が、ばね部４０により固定されることで、光源部３０は保持され、かつ円滑に回動することができる。
【００４８】
本実施の形態は、照明器具１が、回転枠２０を本体部１０に固定する第一のばね部４２と、照明器具１を被取付部１０００に固定する第二のばね部４３とを有するばね部４０を備えていることで、少ない部品点数で組み立てることができる。
【００４９】
本実施の形態は、軌道部１８上に複数の回転凸部１９が配置されていることで、回転枠２０が回転動作時に生じる抵抗を軽減し円滑に回動することができる。
【００５０】
本実施の形態は、ばね部４０が回転枠２０をばね突起部４２ｂが当接し固定していることで、回転枠２０が回転動作時に生じる抵抗を軽減し円滑に回動することができる。
【００５１】
また、本実施の形態では、光源部３１がＬＥＤを備えた形状について説明したが、有機ＥＬなどＬＥＤ以外の光源を備えたものでも良い。
【００５２】
また、本実施の形態では、電源部を備えていない電源別置型の照明器具１について説明をおこなったが、電源部を備えた電源内蔵型の照明器具であっても良い。
【００５３】
実施の形態２．
本実施の形態は、実施の形態１の本体部の変形例である。実施の形態１と同じ構成については実施の形態１と同じ符号を付して説明を省略し、本実施の形態の特徴部分について詳細に説明する。
図１１は実施の形態２の本体部２００の傾斜図である。図１２は図１１に示す本体部２００の平面図である。図１３は図１２に示すＢ−Ｂ′における本体部２００の断面図である。
【００５４】
本体部２００は、上面側および下面側が開口した略円筒形状をしており、上面側には略円筒形状内部に光源部３０を挿入する為の開口を有した挿入部１１と、下面側には挿入部１１と対向するよう配設され光源部３０からの光を照射するための開口を有した照射部１２と、略円筒形状の筒部であり挿入部１１より照射部１２へ光源部３０の側面を囲むように形成された側面部２０１とから構成されている。
【００５５】
側面部２０１は、挿入開口部１１ａの周部から、照射開口部１２ａの周部へ傾斜するように形成されている。
また、側面部２０１は、ばね部４０が嵌め込まれるばね受部１７と、回転枠２０を保持する軌道部２０２が形成されている。
【００５６】
ばね受部１７は、Ｌ形状をしたＬ爪部１７ａが傾斜部から上面側に向かって突出されて、対になるように配設されている。
また、対になるＬ爪部１７ａの間には、傾斜部から外方向へコの字形状のばね引掛部１７ｂが突出し形成されている。
なお、ばね引掛部１７ｂの上面には、上面側に突出した回転凸部１９が形成されている。
【００５７】
また、  ばね受部１７は、側面部２０１に回転中心部Ａ′を中心に略均等になるように三箇所に配設されている。
【００５８】
軌道部２０２は、側面部２０１より外方向へ突出し、隣接するばね受部１７のＬ爪部１７ａに連結し、回転中心部Ａ′を中心とした円弧形状に形成されている。
また、軌道部２０２の上面側には回転枠２０と当接する回転凸部１９が形成されている。
【００５９】
本実施の形態は、本体部２００が隣接するばね受部１７のＬ爪部１７ａに連結するように軌道部２０２が形成されることで、回転枠２０を本体部２００に組み付けしたときに、回転枠２０を支持する面積が増加し、回転枠２０の保持性を高めることが期待できる。
【００６０】
実施の形態３．
本実施の形態は、実施の形態１の本体部の変形例である。実施の形態１と同じ構成については実施の形態１と同じ符号を付して説明を省略し、本実施の形態の特徴部分について詳細に説明する。
図１４は実施の形態３の本体部３００の傾斜図である。図１５は図１４に示す本体部３００の平面図である。図１６は図１５に示すＣ−Ｃ′における本体部３００の断面図である。
【００６１】
本体部３００は、上面側および下面側が開口した略円筒形状をしており、上面側には略円筒形状内部に光源部３０を挿入する為の開口を有した挿入部１１と、下面側には挿入部１１と対向するよう配設され光源部３０からの光を照射するための開口を有した照射部１２と、略円筒形状の筒部であり挿入部１１より照射部１２へ光源部３０の側面を囲むように形成された側面部３０１とから構成されている。
【００６２】
側面部３０１は、挿入開口部１１ａの周部から、照射開口部１２ａの周部へ傾斜するように形成されている。
また、側面部３０１は、外側面部３０１ａにばね部４０が嵌め込まれるばね受部３０２が形成され、内側面部３０１ｂに回転枠２０を保持する軌道部３０３が形成されている。
【００６３】
ばね受部３０２は、Ｌ形状をしたＬ爪部３０２ａが側面部３０１から上面側に向かって突出し、対になるように配設されている。
また、対になるＬ爪部３０２ａの間には、側面部３０１から外方向へコの字形状のばね引掛部３０２ｂが突出し形成されている。
【００６４】
なお、Ｌ爪部３０２ａが突出する高さと、ばね引掛部３０２ｂの上面側の高さは挿入部１１と略同等の高さになるよう形成されている。
【００６５】
また、ばね受部３０２は、外側面部３０１ａに回転中心部Ａ′′を中心に略均等になるように三箇所に配設されている。
【００６６】
軌道部３０３は、内側面部３０１ｂに挿入部１１と平行になるように内側へ突出し形成されている。
また、軌道部３０３は回転中心部Ａ′′方向に、光源部３０が挿入される軌道開口部３０３ａを有しており、軌道開口部３０３ａは光源部３０の光源取付側面部３５ｂが挿入可能な大きさで、挿入開口部１１ａより小さく形成されている。
また、軌道部３０３の上面側には回転枠２０と当接する回転凸部１９が形成されている。
【００６７】
本実施の形態は、本体部３００が内側面部３０１ｂに軌道部３０３を形成していることで、回転枠２０を本体部３００の内部に挿入させた状態で組み付けを行うことができ、回転枠２０の水平方向へのはずれを防止することができる。
【符号の説明】
【００６８】
１  照明器具、１０  本体部、１１  挿入部、１１ａ  挿入開口部、１２  照射部、１２ａ  照射開口部、１３  側面部、１４  本体凸部、１５  本体フランジ部、１６  回転枠支持部、１６ａ  回転枠支持片、１６ｂ  回転枠受片、１７  ばね受部、１７ａ  Ｌ爪部、１７ｂ  ばね引掛部、１７ｂａ  ばね引掛上面部、１８  軌道部、１９  回転凸部、２０  回転枠、２１  回転枠フランジ部、２２  傾動制御部、２３  回転枠側面部、２４  連結孔、３０  光源部、３１  光源ユニット、３２  放熱部、３３  ＬＥＤ基板部、３４  配光制御部、３５  光源取付部、３５ａ  光源取付面、３５ｂ  光源取付側面、３６  放熱フィン、３６ａ  放熱フィン側面、３７  連結部、４０  ばね部、４１  ばね固定部、４１ａ  差込部、４１ｂ  切込爪部、４１ｃ  軸部、４２  第一のばね部、４２ａ  Ｌばね部、４２ｂ  ばね突起部、４３  第二のばね部、４３ａ  第一の円弧部、４３ｂ  第二の円弧部、４３ｃ  支点部、５０  連結部材、２００  本体部、２０１  側面部、２０２  軌道部、３００  本体部、３０１  軌道部、３０２  ばね引掛部、３０２ａ  Ｌ爪部、３０２ｂ  ばね引掛部、３０３  軌道部、３０３ａ  軌道開口部、１０００  被取付部。
【図１】
2015135743.tif 000003
【図２】
2015135743.tif 000004
【図３】
2015135743.tif 000005
【図４】
2015135743.tif 000006
【図５】
2015135743.tif 000007
【図６】
2015135743.tif 000008
【図７】
2015135743.tif 000009
【図８】
2015135743.tif 000010
【図９】
2015135743.tif 000011
【図１０】
2015135743.tif 000012
【図１１】
2015135743.tif 000013
【図１２】
2015135743.tif 000014
【図１３】
2015135743.tif 000015
【図１４】
2015135743.tif 000016
【図１５】
2015135743.tif 000017
【図１６】
2015135743.tif 000018